【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
シートが積載されるシート積載手段と、
シート給送方向に移動可能であり、前記シート積載手段に積載されているシートの前記シート給送方向における上流端の位置を規制する後端規制手段と、
前記シート給送方向に直交する幅方向に移動可能であり、前記シート積載手段に積載されているシートの前記幅方向における端部の位置を規制する側端規制手段と、
前記後端規制手段に着脱可能な補助後端規制手段と、を有し、
前記シート積載手段は、前記側端規制手段の移動空間として設けられた開口部を有し、
前記補助後端規制手段は、前記後端規制手段に装着された状態で前記開口部を介して下方へ延びる規制部を有し、当該規制部により、前記後端規制手段の規制位置よりも前記シート給送方向の下流でシートの上流端の位置を規制可能である、
ことを特徴とするシート収納装置。
【請求項２】
前記開口部は、前記幅方向において前記側端規制手段が移動可能な空間を形成する側端切欠き部であり、
前記シート積載手段は、前記後端規制手段が前記シート給送方向に移動するための後端切欠き部を有する、
ことを特徴とする請求項１に記載のシート収納装置。
【請求項３】
前記シート収納装置の底部に設けられ、前記後端規制手段を前記シート給送方向に案内する案内部を有し、
前記シート積載手段の前記開口部は、前記後端規制手段が前記案内部に沿って移動する場合に、前記補助後端規制手段が前記底部に当接した状態で摺動可能となるように、少なくとも前記シート給送方向に延びて形成されている、
ことを特徴とする請求項１又は２に記載のシート収納装置。
【請求項４】
前記補助後端規制手段は、前記後端規制手段に嵌合される基部を備え、
前記基部は、前記後端規制手段に嵌合された状態で前記後端規制手段よりも前記シート給送方向の下流へと延出し、下流側の端部において前記規制部を支持する、
ことを特徴とする請求項１乃至３のいずれか１項に記載のシート収納装置。
【請求項５】
前記規制部は、前記シート給送方向と直交する幅方向において互いに異なる位置に配置された第１規制部及び第２規制部を含み、
前記基部は、前記シート積載手段の上方で前記第１規制部と前記第２規制部とを連結し、
前記第１規制部、前記第２規制部、及び前記基部は、前記シート積載手段に積載されたシートの上流端に当接可能な規制面を構成する、
ことを特徴とする請求項４に記載のシート収納装置。
【請求項６】
前記シート積載手段の上方に設けられ、前記シート積載手段に積載されたシートの最上位シートに当接して給送する給送手段を有し、
前記補助後端規制手段の前記基部は、前記給送手段が前記最上位シートに当接する場合の前記シート積載手段の位置よりも上方に位置する、
ことを特徴とする請求項４又は５に記載のシート収納装置。
【請求項７】
前記後端規制手段をシートのサイズに応じた位置で固定するための固定手段を備える、
ことを特徴とする請求項１乃至６のいずれか１項に記載のシート収納装置。
【請求項８】
前記固定手段は、前記後端規制手段の固定を解除するための摘み操作部を有し、
前記補助後端規制手段は、前記後端規制手段に装着された状態で、前記摘み操作部の操作をするための操作空間を形成する、
ことを特徴とする請求項７に記載のシート収納装置。
【請求項９】
シートが積載されるシート積載手段と、
シート給送方向と直交する幅方向に移動可能であり、前記シート積載手段に積載されているシートの前記幅方向の端部に当接する側端規制手段と、
前記シート給送方向に移動可能であり、前記シート積載手段に積載されているシートの前記シート給送方向における上流端に当接する主規制面を備える後端規制手段と、
前記後端規制手段に着脱可能な補助後端規制手段であって、前記後端規制手段に装着された際に、前記後端規制手段の前記主規制面の位置よりも前記シート給送方向の下流でシートの上流端を規制する副規制面を備える補助後端規制手段と、を有し、
前記シート積載手段は、前記側端規制手段の移動を許容するための側端切欠き部と、前記後端規制手段の移動を許容するための後端切欠き部と、を有し、
前記補助後端規制手段は、前記後端規制手段に装着された状態で、前記側端切欠き部を介して下方に延び、シート収納装置の底部に摺動可能に当接している、
ことを特徴とするシート収納装置。
【請求項１０】
前記補助後端規制手段は、前記後端規制手段に装着される装着部と、前記シート収納装置の前記底部に摺動可能に当接する脚部と、を有し、前記後端規制手段に装着された状態では、前記シート積載手段の上昇を許容する、
ことを特徴とする請求項９に記載のシート収納装置。
【請求項１１】
前記補助後端規制手段の前記脚部は、前記副規制面の少なくとも一部を構成している、
ことを特徴とする請求項１０に記載のシート収納装置。
【請求項１２】
前記側端規制手段を固定する固定手段及び前記後端規制手段を固定するための固定手段を有する、
ことを特徴とする請求項９乃至１１のいずれか１項に記載のシート収納装置。
【請求項１３】
前記シート積載手段を昇降させる昇降手段をさらに有する、
ことを特徴とする請求項１乃至１２の何れか１項に記載のシート収納装置。
【請求項１４】
請求項１乃至１３のいずれか１項に記載のシート収納装置と、
前記シート収納装置から送り出されたシートに画像を形成する画像形成手段と、を備える、
ことを特徴とする画像形成装置。
【手続補正２】
【補正対象書類名】明細書
【補正対象項目名】０００９
【補正方法】変更
【補正の内容】
【０００９】
そこで、本発明は、煩雑な作業をすることなく異なるサイズのシートに対応可能なシート収納装置及び画像形成装置を提供することを目的とする。
【手続補正３】
【補正対象書類名】明細書
【補正対象項目名】００１０
【補正方法】変更
【補正の内容】
【００１０】
本発明の一の態様に係るシート収納装置は、シートが積載されるシート積載手段と、シート給送方向に移動可能であり、前記シート積載手段に積載されているシートの前記シート給送方向における上流端の位置を規制する後端規制手段と、前記シート給送方向に直交する幅方向に移動可能であり、前記シート積載手段に積載されているシートの前記幅方向における端部の位置を規制する側端規制手段と、前記後端規制手段に着脱可能な補助後端規制手段と、を有し、前記シート積載手段は、前記側端規制手段の移動空間として設けられた開口部を有し、前記補助後端規制手段は、前記後端規制手段に装着された状態で前記開口部を介して下方へ延びる規制部を有し、当該規制部により、前記後端規制手段の規制位置よりも前記シート給送方向の下流でシートの上流端の位置を規制可能である、ことを特徴とする。
【手続補正４】
【補正対象書類名】明細書
【補正対象項目名】００１１
【補正方法】変更
【補正の内容】
【００１１】
また、本発明の他の態様に係るシート収納装置は、シートが積載されるシート積載手段と、シート給送方向と直交する幅方向に移動可能であり、前記シート積載手段に積載されているシートの前記幅方向の端部に当接する側端規制手段と、前記シート給送方向に移動可能であり、前記シート積載手段に積載されているシートの前記シート給送方向における上流端に当接する主規制面を備える後端規制手段と、前記後端規制手段に着脱可能な補助後端規制手段であって、前記後端規制手段に装着された際に、前記後端規制手段の前記主規制面の位置よりも前記シート給送方向の下流でシートの上流端を規制する副規制面を備える補助後端規制手段と、を有し、前記シート積載手段は、前記側端規制手段の移動を許容するための側端切欠き部と、前記後端規制手段の移動を許容するための後端切欠き部と、を有し、前記補助後端規制手段は、前記後端規制手段に装着された状態で、前記側端切欠き部を介して下方に延び、シート収納装置の底部に摺動可能に当接している、ことを特徴とする。
【手続補正５】
【補正対象書類名】明細書
【補正対象項目名】００１２
【補正方法】変更
【補正の内容】
【００１２】
本発明のシート収納装置によると、煩雑な作業をすることなく異なるサイズのシートに対応可能になる。